(57)【要約】【課題】光マトリクススイッチの経路を設定・確認できる制御装置を提供する。【解決手段】本制御装置は、複数の接続ポートのうちの２系統の接続ポート間を光路で接続する光マトリクススイッチを制御するための制御装置であって、表示器と、光マトリクススイッチと通信する通信部と、制御部とを備える。制御部は、接続ポートに光伝送路を介して接続された光伝送装置に対応する装置オブジェクトを表示器に複数表示するとともに、複数の装置オブジェクトから任意の二つの装置オブジェクトが選択されたことを表示器に表示する選択処理と、選択処理で選択された二つの装置オブジェクトに対応する２系統の接続ポート間を光路で接続させるための制御信号を、通信部を介して光マトリクススイッチに送信する送信処理と、２系統の接続ポート間を光路で接続させたときの光マトリクススイッチ内の経路を示す経路画像を表示器に表示する経路表示処理とを実行する。【選択図】図１１
2011043771.tif 000002
【特許請求の範囲】
【請求項１】
１系統ごとに少なくとも１本の光ファイバを用いた光伝送が行われ、複数の接続ポートのうちの２系統の接続ポート間を光路で接続する光マトリクススイッチを制御するための制御装置であって、
表示器と、前記光マトリクススイッチと通信する通信部と、制御部とを備え、
前記制御部は、
前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、
前記選択処理で選択された前記二つの装置オブジェクトに対応する２系統の接続ポート間を光路で接続させるための制御信号を、前記通信部を介して前記光マトリクススイッチに送信する送信処理と、
前記２系統の接続ポート間を光路で接続させたときの前記光マトリクススイッチ内の経路を示す経路画像を前記表示器に表示する経路表示処理と
を実行することを特徴とする光マトリクススイッチの制御装置。
【請求項２】
請求項１に記載の制御装置であって、
前記光マトリクススイッチは、ｎ＋１個の１×ｎ光スイッチを有し、
各１×ｎ光スイッチは、前記接続ポートとなる１系統の共通ポートと、ｎ系統の分岐ポートと、前記共通ポートと前記ｎ系統の分岐ポートのいずれかの１系統とを選択的に接続するための光路切替機構とを有し、
前記各１×ｎ光スイッチにおける前記ｎ系統の分岐ポートは、他のｎ個の１×ｎ光スイッチのそれぞれの分岐ポートに接続され、
前記制御部は、
前記送信処理の際に、前記二つの装置オブジェクトに対応する前記２系統の接続ポートを前記共通ポートとする二つの１×ｎ光スイッチを指定する指定情報を含む前記制御信号を送信し、
前記経路表示処理の際に、前記１×ｎ光スイッチに対応するスイッチオブジェクトをｎ＋１個表示するとともに、前記二つの１×ｎ光スイッチに対応する二つのスイッチオブジェクトを結ぶように前記経路画像を表示する
ことを特徴とする光マトリクススイッチの制御装置。
【請求項３】
請求項２に記載の制御装置であって、
前記制御部は、
前記送信処理の際に、前記指定情報によって、前記二つの１×ｎ光スイッチにおいて選択すべき前記分岐ポートを指定し、
前記経路表示処理の際に、前記二つのスイッチオブジェクトのそれぞれに対応付けて、前記指定情報によって指定された前記分岐ポートの番号をそれぞれ前記経路画像に表示する
ことを特徴とする光マトリクススイッチの制御装置。
【請求項４】
請求項１に記載の制御装置であって、
前記光マトリクススイッチは、第１グループに属する複数の接続ポートと、第２グループに属する複数の接続ポートとを備えており、前記第１グループの前記接続ポートと前記第２グループに属する前記接続ポートとの間を光路で接続可能であるとともに、一方のグループに属する２系統の接続ポートを光伝送路で接続することによって当該光伝送路を経由して他方のグループに属する２系統の接続ポートを光路で接続可能であり、
前記制御部は、前記選択処理で選択された前記二つの装置オブジェクトに対応する２系統の接続ポートが前記他方のグループに属する場合、前記経路表示処理の際に、前記一方のグループに属し前記光伝送路で接続された前記２系統の接続ポートを経由したことを示すように前記経路画像を表示する
ことを特徴とする光マトリクススイッチの制御装置。
【請求項５】
請求項１〜４のいずれかに記載の制御装置であって、
前記制御部は、
前記選択処理の際に、選択された前記二つの装置オブジェクトを結線画像で連絡するように表示するとともに、利用者の入力に応じて前記装置オブジェクトの位置を移動する
ことを特徴とする光マトリクススイッチの制御装置。
【請求項６】
請求項５に記載の制御装置であって、
前記制御部は、
前記選択処理の際に、前記２系統の接続ポートに対応する二つの装置オブジェクトをグループ化させた装置オブジェクト対を表示するとともに、前記装置オブジェクト対を構成する前記二つの装置オブジェクトの位置を利用者の入力に応じて一体的に移動する
ことを特徴とする光マトリクススイッチの制御装置。
【請求項７】
１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部とを備える制御装置に、
前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、
前記選択処理で選択された前記二つの装置オブジェクトに対応する２系統の接続ポート間を光路で接続させるための制御信号を、前記通信部を介して前記光マトリクススイッチに送信する送信処理と、
前記２系統の接続ポート間を光路で接続させたときの前記光マトリクススイッチ内の経路を示す経路画像を前記表示器に表示する経路表示処理と
を実行させることを特徴とする光マトリクススイッチの制御用プログラム。
【請求項８】
１系統ごとに少なくとも１本の光ファイバを用いた光伝送が行われ、複数の接続ポートのうちの２系統の接続ポート間を光路で接続する光マトリクススイッチを制御する制御方法であって、
前記接続ポートに光伝送路を介して接続された光伝送装置に対応する装置オブジェクトを表示器に複数表示するとともに、複数の前記装置オブジェクトから任意の二つの装置オブジェクトが選択されたことを前記表示器に表示する選択ステップと、
前記選択ステップで選択された前記二つの装置オブジェクトに対応する２系統の接続ポート間を光路で接続させるための制御信号を、制御装置が前記光マトリクススイッチに送信する送信ステップと、
前記制御信号に基づいて、前記光マトリクススイッチが前記２系統の接続ポート間を光路で接続する接続ステップと、
前記２系統の接続ポート間を光路で接続させたときの前記光マトリクススイッチ内の経路を示す経路画像を前記表示器に表示する経路表示ステップと
を有する光マトリクススイッチの制御方法。
【請求項９】
１系統ごとに少なくとも１本の光ファイバを用いた光伝送が行われ、複数の接続ポートのうちの２系統の接続ポート間を光路で接続する光マトリクススイッチを制御するための制御装置であって、
表示器と、前記光マトリクススイッチと通信する通信部と、制御部とを備え、
前記制御部は、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除処理と、
前記解除処理で接続が解除された前記二つの装置オブジェクトに対応する２系統の接続ポート間の接続を解除するための制御信号を、前記通信部を介して前記光マトリクススイッチに送信する送信処理と
を実行することを特徴とする光マトリクススイッチの制御装置。
【請求項１０】
１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部と、制御部とを備える制御装置に、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除処理と、
前記解除処理で接続が解除された前記二つの装置オブジェクトに対応する２系統の接続ポート間の接続を解除するための制御信号を、前記通信部を介して前記光マトリクススイッチに送信する送信処理と
を実行させることを特徴とする光マトリクススイッチの制御用プログラム。
【請求項１１】
１系統ごとに少なくとも１本の光ファイバを用いた光伝送が行われ、複数の接続ポートのうちの２系統の接続ポート間を光路で接続する光マトリクススイッチを制御する制御方法であって、
前記接続ポートに光伝送路を介して接続された光伝送装置に対応する装置オブジェクトを表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示ステップと、
前記経路画像において、前記二つの装置オブジェクトに対応する２系統の接続ポート間の接続が解除されたことを前記表示器に表示する解除表示ステップと、
前記解除表示ステップで接続が解除された前記二つの装置オブジェクトに対応する２系統の接続ポート間の接続を解除するための制御信号を、制御装置が前記光マトリクススイッチに送信する送信ステップと、
前記制御信号に基づいて、前記光マトリクススイッチが前記２系統の接続ポート間の接続を解除する解除実行ステップと
を有する光マトリクススイッチの制御方法。
【発明の詳細な説明】
【技術分野】
【０００１】
この発明は光通信に用いる光伝送路の接続経路を組み替えるための光マトリクススイッチを制御するための制御装置に関する。また、コンピュータにインストールされて、当該コンピュータを制御装置として機能させるための制御用プログラム、および制御方法に関する。
【背景技術】
【０００２】
光ファイバからなる光伝送路を介して通信する装置（以下、光伝送装置）には、メディアコンバータと呼ばれる光回線終端装置（ＯＬＴ：Optical Line Terminal）や、そのメディアコンバータを内蔵したルータなどがある。そして、複数の光伝送装置から互いに通信し合う２台の光伝送装置を指定し、各光伝送路に接続されている光伝送路の経路を自在に切り替えるためのスイッチが光マトリクススイッチである。
【０００３】
光マトリクススイッチの用途としては、例えば、光伝送装置を実際に商用ネットワーク上に設置する前の製品出荷段階において、光伝送路を介して正しくデータ通信が行われるかどうかを試験する動作検証などがある。この光伝送装置の動作検証は、一つの光伝送路の両端にそれぞれ光伝送装置を接続し、双方の光伝送装置が出力する通信状態を示す情報を確認するなどして、正しく動作しているか否かを判断することで行われ、多数の光伝送装置に対して動作検証を行う場合には、通信し合う光伝送装置の組み合わせを自由に設定できるように、光伝送路の経路をつなぎ替える光マトリクススイッチが利用される。
【０００４】
なお、光マトリクススイッチの構成については、以下の非特許文献１に記載されている。
【先行技術文献】
【非特許文献】
【０００５】
【非特許文献１】行松  健一  著、「光スイッチング技術入門」、株式会社オーム社、平成５年１０月２５日発行、Ｐ３２
【発明の概要】
【発明が解決しようとする課題】
【０００６】
光マトリクススイッチに多数の光伝送装置を接続し、互いに通信しあう伝送装置の組み合わせを随時変更しながら各光伝送装置の動作検証を行う場合、制御装置のユーザインタフェース環境を工夫しないと、多種多様な光伝送装置の組み合わせを自在に設定したり、光マトリクススイッチに接続される光伝送装置間の光信号の経路を確認したりすることが困難となる。
【０００７】
そこで本発明は、直感的で簡単な操作だけで光マトリクススイッチ内の光路の接続経路を自在に設定できるとともに、その光路の接続状態が一瞥で分かるような優れたユーザインタフェースを備えた光マトリクススイッチの制御装置を提供することを目的としている。
【課題を解決するための手段】
【０００８】
上記目的を達成するための主たる発明は、１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部と、制御部とを備え、前記制御部は、前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、前記選択処理で選択された前記二つの装置オブジェクトに対応する２系統の接続ポート間を光路で接続させるための制御信号を、前記通信部を介して前記光マトリクススイッチに送信する送信処理と、前記２系統の接続ポート間を光路で接続させたときの前記光マトリクススイッチ内の経路を示す経路画像を前記表示器に表示する経路表示処理とを実行することを特徴とする光マトリクススイッチの制御装置である。  
なお、主たる発明以外の発明の特徴については、以下の記載で明らかにする。
【発明の効果】
【０００９】
本発明の光マトリクススイッチの制御装置によれば、利用者に対し、直感的で簡単な操作だけで光マトリクススイッチ内の光路の接続経路を自在に設定できるとともに、その光路の接続状態が一瞥で分かるような優れたユーザインタフェース環境を提供することができる。
【図面の簡単な説明】
【００１０】
【図１】本発明の一実施形態に係る制御装置と光マトリクススイッチとの通信経路を示す図である。
【図２】上記制御装置の制御対象となる光マトリクススイッチの構成図である。
【図３】上記第１の実施例の光マトリクススイッチを構成する８個の１×７光スイッチの分岐ポート間の接続関係を示す図である。
【図４】上記制御装置を含む光伝送装置の動作検証システムの構成図である。
【図５】上記制御装置が処理するテーブルの構成図である。
【図６】本発明の第１の実施例において、上記制御装置がディスプレイに表示する操作画面の一例を示す図である。
【図７】上記操作画面に表示されている装置オブジェクトを二つ一組にして装置間結線画像で連絡させる手順を示す図である。
【図８】上記操作画面において、全ての装置オブジェクトが二つ一組で装置間結線画像によって連絡されている状態を示す図である。
【図９】上記操作画面において、装置間結線画像で連絡されている装置オブジェクトの移動手順を示す図である。
【図１０】上記操作画面において、装置間結線画像の消去手順を示す図である。
【図１１】上記制御装置のディスプレイに接続構成画面を表示させる手順を示す図である。
【図１２】本発明の第２の実施例において、光伝送装置と上記制御装置が制御対象とする光マトリクススイッチとの接続状態を示す図である。
【図１３】上記第２の実施例において、制御装置がディスプレイに表示する操作画面の一例を示す図である。
【図１４】上記第２の実施例において、上記操作画面に表示されている装置オブジェクトを二つ一組にして連結させる手順を示す図である。
【図１５】上記連結状態にある二つ一組の操作オブジェクトを移動させる手順を示す
【図１６】上記連結状態にある二つ一組の操作オブジェクトを分離させる手順を示す図である。
【図１７】上記第２の実施例において、上記操作画面において、全ての装置オブジェクトが二つ一組で連結されている状態を示す図である。
【図１８】上記第２の実施例において、上記操作画面に表示されている装置オブジェクト間を装置間結線画像で連絡させる手順を示す図である。
【図１９】上記第２の実施例において、接続構成画面を表示させる手順を示す図である。
【図２０】上記第２の実施例のその他の例において、接続構成画面を表示させる手順を示す図である。
【図２１】本発明の第３の実施例において、上記制御装置が制御対象とする光マトリクススイッチの構成図である。
【図２２】上記第３の実施例において、接続構成画面を表示させる手順を示す図である。
【図２３】本発明の第３の実施例のその他の実施例において、上記制御装置が制御対象とする光マトリクススイッチのその他の構成を示す図である。
【図２４】本発明の第３の実施例のその他の実施例において、接続構成画面を表示させる手順を示す図である。
【図２５】一般的な光マトリクススイッチの動作を説明するための図である。
【発明を実施するための形態】
【００１１】
＝＝＝本発明の実施形態＝＝＝
後述する明細書及び図面の記載から、少なくとも以下の事項が明らかとなる。
【００１２】
１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部と、制御部とを備え、前記制御部は、前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、前記選択処理で選択された前記二つの装置オブジェクトに対応する２系統の接続ポート間を光路で接続させるための制御信号を、前記通信部を介して前記光マトリクススイッチに送信する送信処理と、前記２系統の接続ポート間を光路で接続させたときの前記光マトリクススイッチ内の経路を示す経路画像を前記表示器に表示する経路表示処理とを実行することを特徴とする光マトリクススイッチの制御装置が明らかとなる。  
このような制御装置によれば、利用者に対し、直感的で簡単な操作だけで光マトリクススイッチ内の光路の接続経路を自在に設定できるとともに、その光路の接続状態が一瞥で分かるような優れたユーザインタフェース環境を提供することができる。
【００１３】
また、前記光マトリクススイッチは、ｎ＋１個の１×ｎ光スイッチを有し、各１×ｎ光スイッチは、前記接続ポートとなる１系統の共通ポートと、ｎ系統の分岐ポートと、前記共通ポートと前記ｎ系統の分岐ポートのいずれかの１系統とを選択的に接続するための光路切替機構とを有し、前記各１×ｎ光スイッチにおける前記ｎ系統の分岐ポートは、他の１×ｎ光スイッチのいずれかの系統の分岐ポートに接続され、前記制御部は、前記送信処理の際に、前記二つの装置オブジェクトに対応する前記２系統の接続ポートを前記共通ポートとする二つの１×ｎ光スイッチを指定する指定情報を含む前記制御信号を送信し、前記経路表示処理の際に、前記１×ｎ光スイッチに対応するスイッチオブジェクトをｎ＋１個表示するとともに、前記二つの１×ｎ光スイッチに対応する二つのスイッチオブジェクトを結ぶように前記経路画像を表示することが望ましい。これにより、光マトリクススイッチ内の複数の１×ｎ光スイッチのうちの使用する１×ｎ光スイッチを確認することができる。
【００１４】
また、前記制御部は、前記送信処理の際に、前記指定情報によって、前記二つの１×ｎ光スイッチにおいて選択すべき前記分岐ポートを指定し、前記経路表示処理の際に、前記二つのスイッチオブジェクトのそれぞれに対応付けて、前記指定情報によって指定された前記分岐ポートの番号をそれぞれ前記経路画像に表示することが望ましい。これにより、使用する１×ｎ光スイッチにおいて選択された分岐ポートを確認できる。
【００１５】
また、前記光マトリクススイッチは、第１グループに属する複数の接続ポートと、第２グループに属する複数の接続ポートとを備えており、前記第１グループの前記接続ポートと前記第２グループに属する前記接続ポートとの間を光路で接続可能であるとともに、一方のグループに属する２系統の接続ポートを光伝送路で接続することによって当該光伝送路を経由して他方のグループに属する２系統の接続ポートを光路で接続可能であり、前記制御部は、前記選択処理で選択された前記二つの装置オブジェクトに対応する２系統の接続ポートが前記他方のグループに属する場合、前記経路表示処理の際に、前記一方のグループに属し前記光伝送路で接続された前記２系統の接続ポートを経由したことを示すように前記経路画像を表示することが望ましい。これにより、同じグループに属する２系統の接続ポートを接続できるとともに、その際に経由した別のグループに属する２系統の接続ポートを確認できる。
【００１６】
また、前記制御部は、前記選択処理の際に、選択された前記二つの装置オブジェクトを結線画像で連絡するように表示するとともに、利用者の入力に応じて前記装置オブジェクトの位置を移動することが望ましい。これにより、結線画像の交差状態を解消できる。
【００１７】
また、前記制御部は、前記選択処理の際に、前記２系統の接続ポートに対応する二つの装置オブジェクトをグループ化させた装置オブジェクト対を表示するとともに、前記装置オブジェクト対を構成する前記二つの装置オブジェクトの位置を利用者の入力に応じて一体的に移動することが望ましい。これにより、利用者の操作が容易になる。
【００１８】
１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部とを備える制御装置に、前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、前記選択処理で選択された前記二つの装置オブジェクトに対応する２系統の接続ポート間を光路で接続させるための制御信号を、前記通信部を介して前記光マトリクススイッチに送信する送信処理と、前記２系統の接続ポート間を光路で接続させたときの前記光マトリクススイッチ内の経路を示す経路画像を前記表示器に表示する経路表示処理とを実行させることを特徴とする光マトリクススイッチの制御用プログラムが明らかになる。  
このような制御用プログラムによれば、利用者に対し、直感的で簡単な操作だけで光マトリクススイッチ内の光路の接続経路を自在に設定できるとともに、その光路の接続状態が一瞥で分かるような優れたユーザインタフェース環境を提供することができる。
【００１９】
１系統ごとに少なくとも１本の光ファイバを用いた光伝送が行われ、複数の接続ポートのうちの２系統の接続ポート間を光路で接続する光マトリクススイッチを制御する制御方法であって、前記接続ポートに光伝送路を介して接続された光伝送装置に対応する装置オブジェクトを表示器に複数表示するとともに、複数の前記装置オブジェクトから任意の二つの装置オブジェクトが選択されたことを前記表示器に表示する選択ステップと、前記選択ステップで選択された前記二つの装置オブジェクトに対応する２系統の接続ポート間を光路で接続させるための制御信号を、制御装置が前記光マトリクススイッチに送信する送信ステップと、前記制御信号に基づいて、前記光マトリクススイッチが前記２系統の接続ポート間を光路で接続する接続ステップと、前記２系統の接続ポート間を光路で接続させたときの前記光マトリクススイッチ内の経路を示す経路画像を前記表示器に表示する経路表示ステップとを有する光マトリクススイッチの制御方法が明らかになる。  
このような制御方法によれば、利用者に対し、直感的で簡単な操作だけで光マトリクススイッチ内の光路の接続経路を自在に設定できるとともに、その光路の接続状態が一瞥で分かるような優れたユーザインタフェース環境を提供することができる。
【００２０】
また、１系統ごとに少なくとも１本の光ファイバを用いた光伝送が行われ、複数の接続ポートのうちの２系統の接続ポート間を光路で接続する光マトリクススイッチを制御するための制御装置であって、
表示器と、前記光マトリクススイッチと通信する通信部と、制御部とを備え、
前記制御部は、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除処理と、
前記解除処理で接続が解除された前記二つの装置オブジェクトに対応する２系統の接続ポート間の接続を解除するための制御信号を、前記通信部を介して前記光マトリクススイッチに送信する送信処理と
を実行する光マトリクススイッチの制御装置とすることもできる。
【００２１】
また、１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部と、制御部とを備える制御装置に、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除処理と、
前記解除処理で接続が解除された前記二つの装置オブジェクトに対応する２系統の接続ポート間の接続を解除するための制御信号を、前記通信部を介して前記光マトリクススイッチに送信する送信処理と
を実行させる光マトリクススイッチの制御用プログラムとしてもよい。
【００２２】
そして、１系統ごとに少なくとも１本の光ファイバを用いた光伝送が行われ、複数の接続ポートのうちの２系統の接続ポート間を光路で接続する光マトリクススイッチを制御する制御方法であって、
前記接続ポートに光伝送路を介して接続された光伝送装置に対応する装置オブジェクトを表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示ステップと、
前記経路画像において、前記二つの装置オブジェクトに対応する２系統の接続ポート間の接続が解除されたことを前記表示器に表示する解除表示ステップと、
前記解除表示ステップで接続が解除された前記二つの装置オブジェクトに対応する２系統の接続ポート間の接続を解除するための制御信号を、制御装置が前記光マトリクススイッチに送信する送信ステップと、
前記制御信号に基づいて、前記光マトリクススイッチが前記２系統の接続ポート間の接続を解除する解除実行ステップと
を有する光マトリクススイッチの制御方法も本発明の範囲としている。
【００２３】
以下に、より具体的な例（実施例）を挙げて、その構成や動作などについて説明する。そして、各実施形態における目的、作用、効果なども明らかにする。
【００２４】
＝＝＝ネットワーク構成＝＝＝
本発明の制御装置は、光マトリクススイッチと通信可能に接続して、当該光マトリクススイッチを制御の対象とする。図１に、本発明の一実施形態に係る制御装置１と光マトリクススイッチ２との通信経路についての構成図を示した。ここに示した制御装置１のハードウエア構成は、一般的なパーソナルコンピュータ（ＰＣ）と同じであり、マウスやキーボードを主体とした入力装置とディスプレイを備えている。そして、ＰＣ１と光マトリクススイッチ２とがＬＡＮ５０を介して通信する構成となっている。
【００２５】
＝＝＝光マトリクススイッチ＝＝＝
＜一般的な光マトリクススイッチ＞
図２５に一般的な光マトリクススイッチの概略構成を示した。この光マトリクススイッチＭＸは、複数の接続ポート（ＰＡ１〜ＰＡ４，ＰＢ１〜ＰＢ４）を備え、そのそれぞれに光伝送装置（ＲＡ１〜ＲＡ４，ＲＢ１〜ＲＢ４）が光伝送路（ＬＡ１〜ＬＡ４，ＬＢ１〜ＬＢ４）を介して接続される。接続ポート（ＰＡ１〜ＰＡ４，ＰＢ１〜ＰＢ４）は、偶数系統あり、全系統の半分の接続ポートごとにグループ（ＧｒＡ，ＧｒＢ）が形成されている。図示した例では、４台ずつの光伝送装置（ＲＡ１〜ＲＡ４，ＲＢ１〜ＲＢ４）が接続されている接続ポートを一組（ＧｒＡ，ＧｒＢ）としている。そして、一方のグループＧｒＡに属する接続ポート（ＰＡ１〜ＰＡ４）に接続されている光伝送装置（ＲＡ１〜ＲＡ４）のそれぞれは、他方のグループＧｒＢの接続ポート（ＲＢ１〜ＲＢ４）に接続されている光伝送装置（ＲＢ１〜ＲＢ４）のいずれかと１対１の関係で通信することができる。すなわち、図示した例では、１方のグループＧｒＡに対応する光伝送装置（ＲＡ１〜ＲＡ４）は、個別に、かつ並行して他方のグループＧｒＢに対応する光伝送装置（ＲＢ１〜ＲＢ４）のいずれかと１対１で接続して通信することができるが、一方のグループＧｒＡ（ＧｒＢ）に属する光伝送装置ＲＡｘ（ＲＢｘ）（ｘ＝１〜４）は同じグループＧｒＡ（ＧｒＢ）に属する他の光伝送装置ＲＡｙ（ＲＢｙ）（ｘ≠ｙ）と通信することができない。
【００２６】
本実施形態の制御方法では、このような光マトリクススイッチＭＸを制御対象としても良いが、接続可能な光伝送装置に制約のない次の光マトリクススイッチを制御対象としている。
【００２７】
＜本実施形態の光マトリクススイッチ＞
図２は、ＰＣ１が制御の対象とする光マトリクススイッチ２の一例を示している。当該光マトリクススイッチ２の主体は、複数の光スイッチＳＷｍ（ｍ＝１〜８）であり、この例において、各光スイッチＳＷｍは、１系統の光伝送路Ｌｍを複数の光伝送路Ｌｉｋ（ｉ＝１〜７，ｋ＝１〜８，ｉ＜ｋ，ｉ≠ｋ）のいずれかに光路で接続するための多肢選択型の光スイッチＳＷｍである。ここでは、１系統の光伝送路Ｌｍを７系統の光伝送路Ｌｉｋのいずれかに接続するための１×７光スッチＳＷｍを８個備えた構成としている。
【００２８】
上記１×７光スイッチＳＷｍは、その内部において、１系統の光伝送路Ｌｍに接続される側のポート（共通ポート：ＰＳｍ）と、７系統の光伝送路Ｌｉｋに接続されている側のポート（分岐ポート：Ｐｍｎ、ｎ＝１〜７）のいずれかとを内部の光路で接続するための機構（光路切替機構）を備えており、当該光路切替機構は、例えば、内部の光ファイバやプリズムなどをアクチュエータを用いて機械的に移動させて共通ポートＰＳｍと分岐ポートＰｍｎのいずれかとを内部で光路接続するための構造と、分岐ポートＰｍｎの指定情報が含まれて入れる所定規格の電気信号（以下、切替信号）を受け付けるためのインタフェースと、受信した切替信号中の指定情報に従って共通ポートＰＳｍを分岐ポートＰｍｎの一つに光路接続するようにアクチュエータなどを駆動するための制御回路とを含んで構成される。上記インタフェースとしては、ＲＳ４８５規格に準拠したインタフェースなどが採用でき、各１×７光スイッチＳＷｍには、切替信号の入力端となる物理的インタフェースとして、その規格に準拠したコネクタを備えている。
【００２９】
そして、光マトリクススイッチ２は、一体的な筐体内に上記１×７光スイッチＳＷｍを内蔵し、筐体の表面には１００ＢＡＳＥ−ＴＸなど、所定規格のＬＡＮポート４１と、８系統の光伝送路Ｌｍに対応する８個の光アダプタ（３１，３２，…，３８：以下、符号３ｍ）が配設されている。８個の光アダプタ３ｍは、筐体内にて８個の１×７光スイッチＳＷｍのそれぞれの共通ポートＰＳｍからの光伝送路Ｌｍの他端と接続している。したがって、ある１系統の光伝送路の一端に光伝送装置を接続し、他端を光アダプタ３ｍに接続すると、共通ポートＰＳｍに接続されている光伝送路Ｌｍがその光アダプタ３ｍを経由して延長し、共通ポートＰＳｍと光伝送装置とが１系統の光伝送路Ｌｍで接続された状態となる。したがって、以下では、一つの光アダプタ３ｍを介して延長される光伝送路Ｌｍは１系統の光伝送路として同じ符号「Ｌｍ」で示すこととする。
【００３０】
さらに筐体内には、ＬＡＮポート４１を介して受信した制御信号を１×７光スイッチＳＷｍを制御するための上記切替信号に変換するためのスイッチング制御部４０が内蔵されている。スイッチング制御部４０は、例えば、ＣＰＵとメモリを備えたマイクロコンピュータなどで構成することができる。そして、Ethernet（登録商標）規格に準拠したプロトコルに基づいてＰＣ１からＬＡＮ５０を介して送信されてくる制御信号を受信する。
【００３１】
制御信号には、１×７光スイッチＳＷｍの指定情報と、指定した１×７光スイッチＳＷｍにおける分岐ポートＰｍｎの指定情報などが含まれている。スイッチング制御部４０は、Ｐｍｎの指定情報と実際に信号線４２に接続されている１×７光スイッチとの対応関係を内部のメモリなどに記憶し、受信した制御信号に基づいて、指定の分岐ポートＰｍｎの番号などを含んだ切替信号を、指定の１×７光スイッチに送信する。それによって、指定の１×７光スイッチＳＷｍの内部において、共通ポートＰＳｍと指定の分岐ポートＰｍｎとが光路接続される。
【００３２】
そして、上記光マトリクススイッチ２では、１系統の光伝送路Ｌｍが接続される各１×７光スイッチＳＷｍの共通ポートＰＳｍに、例えば、光伝送装置からの光伝送路が光アダプタ３ｍを介して接続される。一方、７系統の光伝送路Ｌｉｋが接続される分岐ポートＰｍｎは、それぞれ、接続相手となる他の１×７光スイッチＳＷｍの７系統側の七つのポートＰｍｎと光伝送路Ｌｉｋを介して１対１の関係で接続されている。このような構成を備えた光マトリクススイッチ２では、各１×７光スイッチＳＷｍにおける共通ポートＰＳｍと分岐ポートＰｍｎとの内部接続関係や、二つの１×７光スイッチＳＷｍ間の分岐ポートＰｍｎを経由した接続関係を、ＰＣ１からの制御信号に従って自在に可変制御することで、共通ポートＰＳｍに光伝送路Ｌｍを介して接続される光伝送装置の任意の2台を互いに通信相手として設定することができる。
【００３３】
ここで、図２における各１×７光スイッチＳＷｍのｍを１×７光スイッチＳＷｍに割り当てられた番号とするとともに、７つの分岐ポートｐｍｎのｎを分岐ポートＰｍｎに割り当てられた番号とし、以下では、これらの番号（ｍ，ｎ）を使って光伝送路（Ｌｍ，Ｌｉｋ）の接続関係などを記述することとする。
【００３４】
図３に、上記光マトリクススイッチ２における各１×７光スイッチの分岐ポート同士の接続関係を上記ｍとｎを用いて示した。例えば、図中に点線枠内で示したように、「２」番目の１×７光スイッチＳＷ２の「３」番目の分岐ポートＰ２３は、「４」番目の１×７光スイッチＳＷ４の「２」番目の分岐ポートＰ４２と光伝送路Ｌ２４で接続されている。
【００３５】
このように、ある１×７光スイッチＳＷｍの共通ポートＰＳｍをある分岐ポートＰｍｎに接続した際、図３の接続関係に従って、この分岐ポートＰｍｎに光伝送路Ｌｉｋを介して接続されている他のいずれかの１×７光スイッチの分岐ポートＰｍｎと、そのいずれかの１×７光スイッチＳＷｍの共通ポートＰＳｍとを接続すれば、８系統の光伝送路Ｌｍの任意の二系統が分岐ポートＰｍｎ間の光伝送路Ｌｉｋを経由して接続される。すなわち、共通ポートＰＳｍに光伝送路Ｌｍを介して接続される８台の光伝送装置を自由に１対１に組み合わせて、通信可能とすることができる。もちろん、分岐ポートＰｍｎ同士が１対１で接続されていれば、互いに接続される分岐ポートＰｍｎの対応関係は、図３に示した対応関係に限るものではない。
【００３６】
このように、例示した光マトリクススイッチ２は、１×７光スイッチＳＷｍの分岐ポートＰｍｎ同士の接続構造に特徴を有して、この光マトリクススイッチ２に接続されている全ての光伝送装置の任意の２台を互いに通信相手として設定できる「完全な」光マトリクススイッチ２となっている。
【００３７】
なお、上記光マトリクススイッチ２では、互いに通信相手となる２台の光伝送装置は、どのような組み合わせであっても一律に２個の１×７スイッチを通過することになる。すなわち、全ての組み合わせにおいて、２台の光伝送装置間での光信号の損失を均一にすることができる。そこで、上記光マトリクススイッチ２を用いて光伝送装置の動作検証を行えば、光伝送装置の組み合わせ毎に異なる光信号の損失誤差を考慮する必要がほとんどなく、極めて信頼性の高い動作検証方法を提供することができる。
【００３８】
ところで、図２では、各共通ポートＰＳｍに接続される光伝送路Ｌｍを１本の線で示しているが、周知のごとく、１系統の光伝送路は、送信線（Ｔｘ）と受信線（Ｒｘ）のそれぞれに対応する２本の光ファイバで構成されている場合がある。したがって、各光伝送路（Ｌｍ，Ｌｉｋ）が２本の光ファイバで構成されている場合では、各１×７光スイッチＳＷｍの共通ポートＰＳｍに２本の光ファイバが接続され、分岐ポートＰｍｎに二つ一組の光ファイバが７組接続されることになる。そして、接続可能な光ファイバの本数で表現すれば、上記１×７光スイッチＳＷｍは、正確には、２×１４光スイッチとなる。
【００３９】
また、複数の光ファイバで１系統の光伝送路を構成する場合、分岐ポートＰｍｎは複数の物理的なポートで構成されることになる。例えば、Ｔｘ用とＲｘ用の２本の光ファイバで１系統の光伝送路を構成する場合、分岐ポートＰｍｎは、１系統ごとに二つの物理的ポートを備えることになる。このような場合、分岐ポートＰｍｎにおける物理的ポートの配置は同じなので、位置が同じ物理的ポート同士を光ファイバで接続すると、通信し合う２台の光伝送装置に接続されているＴｘ用とＲｘ用のポートの配置関係が反対になり通信することができなくなる。そのため、一方の分岐ポートＰｍｎにおける二つの物理的ポートと２本の光ファイバとの位置関係と、他方の分岐ポートＰｍｎにおける二つの物理的ポートと２本の光ファイバとの位置関係とを逆にする必要がある。いわゆる「クロスケーブル」を用いる必要がある。
【００４０】
なお、以下では、図中での煩雑さを解消し、説明を容易にするために、１系統の光伝送路に含まれる光ファイバの本数にかかわらず、共通ポートＰＳｍや分岐ポートＰｍｎなどのポートの数などは、１系統の光伝送路を１単位として数えることとし、上述した光マトリクススイッチ２に限らず、光伝送装置を光伝送路を介して接続した際には、適所に上述のクロスケーブルを用いるなどして、物理的なポートとそれに接続される光ファイバとは正しい対応関係で接続されているものとする。
【００４１】
＝＝＝本発明の実施例について＝＝＝
光マトリクススイッチ２は、例えば、互いに通信し合う２台一組の光伝送装置を同時に複数組設定し、各組における2台の光伝送装置間で通信が可能であるか否かを並行して確認するための光伝送装置の動作検証システムに発展させることができる。図４にその動作検証システム３の一例を示した。当該動作検証システム３においては、互いに通信し合う光伝送装置の組（Ｒｍ１，Ｒｍ２、ｍ１＝１〜８，ｍ２＝１〜８，ｍ１≠ｍ２）を設定したり、その設定通りに2台の光伝送装置（Ｒｍ１，Ｒｍ２）が光路で接続されるように光マトリクススイッチ２を制御したりするための情報処理装置が必要となる。この情報処理装置が、本発明における制御装置であり、本実施形態では、上記ＰＣ１がそれに当たる。
【００４２】
ＰＣ１には、光マトリクススイッチ２を制御するためのソフトウエア（制御ソフト）がインストールされており、ＰＣ１は、この制御ソフトを実行することで、互いに通信し合う２台の光伝送装置の組（Ｒｍ１，Ｒｍ２）を容易に設定し、１×７光スイッチＳＷｍ同士の接続状態が一瞥して分かる優れたユーザインタフェース環境を利用者に提供している。そして、一組として設定した２台の光伝送装置（Ｒｍ１，Ｒｍ２）間を１×７光スイッチＳＷｍを経由して接続させるための制御信号をＬＡＮ５０を介して光マトリクススイッチ２に送信する。以下では、制御ソフトを実行するＰＣ１によって提供されるユーザインターフェース環境を本発明の実施例として説明する。
【００４３】
＝＝＝第１の実施例＝＝＝
上述した光マトリクススイッチ２は、一般的な光マトリクススイッチ（図２５，ＭＸ）と異なり、各１×７光スイッチＳＷｍの共通ポートＰＳｍに接続されているすべての光伝送装置Ｒｍが互いに通信相手となり得る。そのため、互いに通信しあう２台の光伝送装置（Ｒｍ１，Ｒｍ２）を設定したり、その設定において、どの１×７光スイッチＳＷｍが、どの分岐ポートＰｍｎを経由して接続されているのかを確認したりすることが難しい。また、全ての光伝送装置Ｒｍが互いに通信相手となり得るため、実際に光伝送装置Ｒｍが光マトリクススイッチ２に接続されている状態を見ても、どれとどれが通信相手として設定されているのかを確認することが難しい。しかし、ＰＣ１は、このような内部における光路の接続経路や光伝送装置Ｒｍとの接続状態などが感覚的に確認しにくい特殊な光マトリクススイッチ２を制御対象としても、優れたユーザインタフェースにより、利用者による光伝送装置Ｒｍの動作検証作業などを強力に支援することができる。
【００４４】
ここで、上述した１×７光スイッチＳＷｍを主体として構成される光マトリクススイッチ２を制御対象とし、共通ポートＰＳｍに接続される光伝送装置Ｒｍの任意の２台（Ｒｍ１，Ｒｍ２）を通信相手として設定する事例を挙げる。そして、当該事例において、ＰＣ１が提供するユーザインタフェースを本発明の第１の実施例とする。
【００４５】
ＰＣ１は、上記制御ソフトを実行することで、マウスを用いたドラッグ・アンド・ドロップ、およびクリック動作を主体とした指示や選択入力を受け付けるＧＵＩ環境を提供し、利用者は直感的に当該制御ソフトを操作できるようになっている。なお、基本的な操作の手順としては、互いに通信し合う２台一組の光伝送装置（Ｒｍ１，Ｒｍ２）を指定する手順と、指定した２台一組の光伝送装置（Ｒｍ１，Ｒｍ２）間の光伝送経路（Ｌｍ１−Ｌｉｋ−Ｌｍ２）の中間経路（Ｌｉｋ）を確認する手順とからなる。以下に、その操作手順の具体的に示す。
【００４６】
まず、互いに通信相手となる光伝送装置（Ｒｍ１，Ｒｍ２）の組を指定する操作の前に、各１×７光スイッチＳＷｍの分岐ポートＰｍｎ間の接続関係を記憶させておく。第１の実施例では、図５に示したようなテーブルをＰＣ１の外部記憶装置などに記憶させておく。このテーブルには、通信し合う２台の光伝送装置（Ｒｍ１，Ｒｍ２）を指定すると、対応する二つの共通ポート（ＰＳｍ１，ＰＳｍ２）の組み合わせを決定するための情報が記述されており、その共通ポート（ＰＳｍ１，ＰＳｍ２）の組み合わせに対応する分岐ポート（Ｐｍ１ｎ，Ｐｍ２ｎ）同士の接続関係が分岐ポートＰｍｎの番号ｎによって記述されている。すなわち、テーブルにおける二つの共通ポートａとｂを組み合わせると、それら二つの共通ポートａとｂに対応する二つの１×７光スイッチＳＷｍにおいて、共通ポートＰＳｍに接続すべき分岐ポートＰｍｎの番号ｎが決定する。
【００４７】
例えば、図５において、点線の枠で示したように、一方の共通ポートａとして２番目の１×７光スイッチＳＷ２の共通ポートＰＳ２を選択し、他方の共通ポートｂとして６番目の１×７光スイッチＳＷ６の共通ポートＰＳ６を選択すると、１番目の共通ポートａに該当する１×７光スイッチＳＷ２の番号ｍは「２」であり、その１×７光スイッチＳＷ２の共通ポートＰＳ２の内部接続先となる分岐ポートＰ２ｎの番号ｎは、「５」となる。この例では、ｍ／ｎで表記し、「２／５」となっている。共通ポートｂについても同様にして、「６」番目の１×７光スイッチＳＷ６と、そのスイッチＳＷ６の共通ポートＰＳ６と内部接続される分岐ポートＰ６ｎの番号ｎ「２」が決定する。図中では、「６／２」と表記されている。
【００４８】
そして、ＰＣ１にて制御ソフトが実行されると、ディスプレイに当該制御ソフトの操作画面が表示される。図６〜図１１に上記制御ソフトの実行中にＰＣ１のディスプレイに表示される画面の遷移状態を示した。図６に示したように、操作画面１００には、各種操作を指定するためのラジオボタン（１２１〜１２４）、二つの１×７光スイッチ（ＳＷｍ１，ＳＷｍ２）のそれぞれの分岐ポート（Ｐｍ１ｎ，Ｐｍ２ｎ）の接続状態を確認させたり、実際の光マトリクススイッチ２にその接続関係を実現させるための制御信号を送信させたりする「構成切替」ボタン１４０、光伝送装置Ｒｍに対応するオブジェクト（装置オブジェクト：１１１〜１１８）などが配設されている。
【００４９】
また、操作画面１００には、各１×７光スイッチＳＷｍの共通ポートＰＳｍが「Port ｍ（ｍ＝１〜８）」と表記され（符号１３１）、各共通ポートＰＳｍに接続される光伝送装置Ｒｍの名前を入力するためのテキストボックス１３２も含まれている。ＰＣ１は、各装置オブジェクト（１１１〜１１８）と各１×７光スイッチＳＷｍの共通ポートＰＳｍとの対応付けを記憶し、上記各１×７光スイッチＳＷｍの共通ポートＰＳｍを示す「Port ｍ」の表示１３１に対応してテキストボックス１３２に光伝送装置Ｒｍの名前が入力されると、該当する装置オブジェクト（１１１〜１１８）にその名前を表示する。
【００５０】
なお、操作画面１００上に表示された装置オブジェクト（１１１〜１１８）は、当該画面１００上の任意の位置に配置することができる。この例では、「配置換え」のラジオボタン１２１をチェックした上で、マウスによるドラッグ・アンド・ドロップ操作により各装置オブジェクト（１１１〜１１８）を操作画面１００上の任意の位置に配置することができる（図６、矢印１４１）。
【００５１】
次に、互いに通信相手となる２台の光伝送装置（Ｒｍ１，Ｒｍ２）の組を指定する操作を行う。図７に当該指定操作に伴う画面遷移を示した。図７（Ａ）に示したように、「接続」のラジオボタン１２２をチェックした上で、互いに通信させる上記光伝送装置（Ｒｍ１，Ｒｍ２）の１台目の光伝送装置Ｒｍ１に対応する装置オブジェクト１１４にマウスカーソルＭを合わせ、クリック操作によりこの装置オブジェクト１１４を指示して、当該装置オブジェクト１１４を選択状態にする。装置オブジェクト１１４は、選択状態になると他の装置オブジェクト（１１１〜１１３，１１５〜１１８）と区別できるように変色する。さらに、図７（Ｂ）に示したように、通信相手となる２台目の光伝送装置Ｒｍ２に対応する装置オブジェクト１１７を指示すると、先に選択して変色していた装置オブジェクト１１４が当初の色に変わるとともに、連続して選択した二つの装置オブジェクト（１１４，１１７）が直線（装置間結線画像）１５０によって連絡される。このようにして、他の光伝送装置（Ｒｍ）についても二つの装置オブジェクト（１１１〜１１８）間を装置間結線画像１５０で連絡させて通信相手同士の組となるように指定する。図８に、すべての装置オブジェクト（１１１〜１１８）が二つ一組で装置間結線画像１５０によって連絡されている状態を示した。
【００５２】
ところで、図８に示したように、複数組の装置オブジェクト（１１１〜１１８）の連絡状態によっては、装置間結線画像１５０が交差し、連絡し合う二つの装置オブジェクト（１１１〜１１８）を識別しにくくなる。このような場合には、図９に示したように、先の「配置換え」のラジオボタン１２１をチェックした上で、任意の装置オブジェクトを移動させる。ＰＣ１は、この移動操作を受け付けると、装置間結線画像１５０の連絡状態を維持しつつ装置オブジェクト（１１１〜１１８）を再配置する（矢印１４２〜１４４）。それによって、利用者は、装置オブジェクト（１１１〜１１８）間の連絡状態を容易に確認することができる。なお、一度表示させた装置間結線画像１５０については、図１０（Ａ）に示したように、「接続解除」のラジオボタン１２３をチェックした上で、図１０（Ｂ）に示したように、連絡状態にある二つの装置オブジェクト（１１３，１１５）の一方１１５（あるいは１１３）を指示すれば装置間結線画像１５０が消去される。
【００５３】
利用者は、以上のようにして、互いに通信し合う光伝送装置（Ｒｍ１，Ｒｍ２）の組を設定したならば、図１１（Ａ）に示したように、「構成切替」ボタン１４０を指示し、実際の光マトリクススイッチ２において、各光伝送装置Ｒｍに対応する１×７光スイッチＳＷｍの共通ポートＰＳｍ間が、分岐ポートＰｍｎを経由してどのように接続されるのかを確認する。
【００５４】
ＰＣ１は、当該「構成切替」ボタン１４０への指示を受け付けると、装置間結線画像１５０により連絡状態にある装置オブジェクト（１１１〜１１８）に対応する共通ポートＰＳｍや分岐ポートＰｍｎ間の接続関係を上記テーブルに基づいて特定し、図１１（Ｂ）に示したように、その接続関係を、操作画面１００とは別の画面（接続構成画面）２００に表示する。
【００５５】
この接続構成画面２００では、当該画面２００用の矩形の装置オブジェクト（２１１〜２１８）が上下方向に並んで配置され、各装置オブジェクト（２１１〜２１８）に対応する１×７光スイッチＳＷｍを示す矩形の画像（スイッチオブジェクト：２０１〜２０８）が装置オブジェクト（２１１〜２１８）の右側に平行するように配置されている。そして、装置オブジェクト（２１１〜２１８）の右辺とスイッチオブジェクト（２０１〜２０８）の左辺とが直線（共通ポート結線画像）２２０によって１対１で連絡されている。そして、１本の共通ポート結線画像２２０が、特定の共通ポートＰＳｍに接続される1系統の光伝送路Ｌｍに対応する。
【００５６】
さらに、スイッチオブジェクト（２０１〜２０８）の右辺同士が、コの字型に屈曲する線（スイッチ間結線画像：２３０）で連絡されて、上記テーブルに基づいて特定された接続関係が表現されている。なお、この例では、スイッチオブジェクト（２０１〜２０８）に接続されている前記スイッチ間結線画像２３０の末端に各１×７光スイッチＳＷｍにおいて、共通ポートＰＳｍと内部接続されている分岐ポートＰｍｎの番号２４０も表示されている。それによって、通信相手となる２台の光伝送装置（Ｒｍ１，Ｒｍ２）間の通信経路とともに、各１×７光スイッチＳＷｍにおける分岐ポートＰｍｎ同士の接続状態も確認することができるようになっている。
【００５７】
またＰＣ１は、当該接続構成画面２００の描出処理に連動して、１×７光スイッチＳＷｍの番号ｍと分岐ポートＰｍｎの番号ｎとを対応付けした情報を含む制御信号を生成してＬＡＮ５０上に送出する。それによって、ＰＣ１にて設定した光伝送路（Ｌｍ，Ｌｉｋ）の接続状態が実際の光マトリクススイッチ２にて実現される。
【００５８】
もちろん、操作画面１００における各装置オブジェクト（１１１〜１１８）間の接続関係を記述した情報をファイルにして保存したり、保存したファイルを読み込んで、過去に定義した接続状態を再現させることもできる。
【００５９】
また、一度実現させた光伝送装置（Ｒｍ１，Ｒｍ２）間の光伝送経路（Ｌｍ１−Ｌｉｋ−Ｌｍ２）の接続状態を解除（遮断）することもできる。具体的には、接続構成画面２００を閉じ、先に図１０（Ａ）（Ｂ）に示したように、「接続解除」のラジオボタン１２３をチェックし、連絡状態にある適当な二つの装置オブジェクト（１１ｍ１〜１ｍ２：ｍ１，ｍ２＝１〜８，ｍ１≠ｍ２）の一方を指示すれば装置間結線画像１５０が消去される。そして、その状態で、再度「接続構成」ボタン１４０を指示すれば、実際の光マトリクススイッチ１では、操作画面１００にて消去した装置間結線画像１５０に対応する光伝送経路（Ｌｍ１−Ｌｉｋ−Ｌｍ２）が遮断される。それによって、例えば、通信状態にある２台の光伝送装置（Ｒｍ１，Ｒｍ２）間の光伝送路が何らかの原因で遮断される状態を再現することができる。したがって、通信状態にあった光伝送装置（Ｒｍ１，Ｒｍ２）が光伝送路の遮断に伴って正しい挙動を示すか否かを検証することが可能となる。
【００６０】
＝＝＝第２の実施例＝＝＝
光伝送装置には、２系統の光伝送路と接続して、それぞれの系統の光伝送路を介して個別に他の光伝送装置と通信できるものもある。上記制御ソフトは、そのような光伝送装置が光マトリクススイッチに接続される場合にも対応している。以下では、図１２に示したように、上記光マトリクススイッチ２に２系統の光伝送路と接続可能な光伝送装置（Ｒ１１〜Ｒ１４：以下、Ｒ１ｊ、ｊ＝１〜４）を４台接続し、その内の３台の光伝送装置（Ｒ１１，Ｒ１２，Ｒ１４）間に光信号の経路を構築する事例を挙げる。そして、この３台の光伝送装置（Ｒ１１，Ｒ１２，Ｒ１４）間で通信経路を設定する際のユーザインタフェースを本発明の第２の実施例として、以下に説明する。
【００６１】
第２の実施例では、先に図５に示したテーブルがすでに記憶されているものとする。ここでは、２系統の共通ポートＰＳｍに１台の光伝送装置Ｒ１ｊが２系統の光伝送路（Ｌｍ１，Ｌｍ２）を介して接続されることになる。そこで、まず、１台の光伝送装置Ｒ１ｊが接続される２系統の共通ポート（ＰＳｍ１，ＰＳｍ２）を指定する必要がある。
【００６２】
図１３に第２の実施例における操作画面３００の概略図を示した。第１の実施例に対し「グループ」のラジオボタン３２１と「グループ解除」のラジオボタン３２２が追加されている。また、特定の二つの共通ポート（ＰＳｍ１，ＰＳｍ２）に接続される１台の光伝送装置Ｒ１ｍの名称が、利用者によりあらかじめテキストボックス１３２に入力されている。この例では、先に図１２に示したように、１番目の１×７光スイッチＳＷ１と２番目の１×７光スイッチＳＷ２を一組にして１台の光伝送装置Ｒ１１が接続されており、３番目と４番目の１×７光スイッチ（ＳＷ３，ＳＷ４）に1台の光伝送装置Ｒ１２が接続されている。以後、２系統の共通ポートに１台の光伝送装置が接続されることとする。すなわち、５番目と６番目の１×７光スイッチ（ＳＷ５，ＳＷ６）に光伝送装置Ｒ１３、７番目と８番目の１×７光スイッチ（ＳＷ７，ＳＷ８）に光伝送装置Ｒ１４がそれぞれ接続されていることとする。
【００６３】
なお、テキストボックス１３２には、８台の光伝送装置が入力されているが、ここでは、利用者が意図的に末尾の「ａ」「ｂ」以外の名前を同じにして、１台ごとの光伝送装置Ｒ１ｊが区別できるようにしている。例えば、「光伝送装置Ｒ１１ａ」と「光伝送装置Ｒ１１ｂ」は同じ１台の光伝送装置Ｒ１１であることを示しており、末尾の「ａ」「ｂ」は、１台の光伝送装置Ｒ１１が異なる二つの共通ポート（ＰＳ１，ＰＳ２）に光伝送路（Ｌ１，Ｌ２）を介して接続されることを示している。したがって、ここでは、末尾以外が同じ名前の二つ一組の装置オブジェクト（３１１ａ，３１１ｂ〜３１４ａ，３１４ｂ）が１台の光伝送装置Ｒ１ｊに対応している。
【００６４】
ここで、この光伝送装置Ｒ１ｊの名称に従って、２系統一組の共通ポート（ＰＳｍ１，ＰＳｍ２）を指定する操作を行う。具体的には、二つの装置オブジェクト（３１１ａ，３１１ｂ〜３１４ａ，３１４ｂ：以下、３１ｊａ,３１ｊｂ）を一組にまとめる。そのために、まず、図１４（Ａ）に示したように、「グループ」のラジオボタン３２１を選択した状態で、二つ一組の一方の装置オブジェクト３１ｍａ（３１ｊｂ）を他方の装置オブジェクト３１ｊｂ（３１ｊａ）に近づけるように移動させる。そして、二つの装置オブジェクト（３１ｊａ,３１ｊｂ）が所定の距離内までに近接すると、図１３（Ｂ）に示したように、移動してきた方の装置オブジェクト３１ｊａ（３１ｊｂ）が他方のオブジェクト３１ｊｂ（３１ｊａ）と連結する（矢印３４０）。この例では、略矩形の装置オブジェクト（３１ｊａ,３１ｊｂ）の短辺同士が連結する。
【００６５】
もちろん、二つの装置オブジェクト（３１ｊａ,３１ｊｂ）を連結させるための操作方法は、この例に限らず、例えば、「グループ」のラジオボタン３２１が選択されている状態で、連続して二つの装置オブジェクト（３１ｊａ,３１ｊｂ）を指示すると、一方の装置オブジェクト３１ｊａ（３１ｊｂ）が他方の装置オブジェクト３１ｊｂ（３１ｊａ）に連結するなど、適宜なユーザインタフェースを採用することができる。
【００６６】
また、連結された二つ一組の装置オブジェクト（装置オブジェクト対：図１４（Ｂ）、符号３１２）は、図１５に示したように、「配置換え」のラジオボタン１２１を選択した状態で、一体的に移動させることができる（矢印３４１）。また、連結を解除するためには、図１６（Ａ）に示したように「グループ解除」のラジオボタン３２２を選択した上で、装置オブジェクト対３１ｍを指示すればよい。連結が解除されたならば、図１６（Ｂ）に示したように、「配置換え」のラジオボタン１２１を指示すると、連結状態にあった二つの装置オブジェクト（３１ｊａ,３１ｊｂ）を個別に移動させることができる（矢印３４２）。
【００６７】
以上のようにして、図１７に示したように全ての装置オブジェクト対３１ｊを指定したならば、光伝送装置（Ｒ１ｊ１，Ｒ１ｊ２：ｊ１＝１〜４，ｊ２＝１〜４,ｊ１≠ｊ２）間の光信号経路を指定する。第２の実施例では、１台の光伝送装置Ｒ１ｊに２系統の光伝送路（Ｌｍ１，Ｌｍ２）が接続されることも考慮したユーザインタフェースであるが、光信号の経路自体は、２系統の共通ポート（ＰＳｍ１,ＰＳｍ２）によって特定される。したがって、この光信号経路の指定操作は、第１の実施例とほぼ同様である。すなわち、光信号経路の両端にある２系統の共通ポートに対応する二つの装置オブジェクト（３１ｊａ，３１ｊｂ）を指定する操作を行う。
【００６８】
具体的に図１８に基づいて説明すると、図１８（Ａ）に示したように、「接続」のラジオボタン１２２をチェックした上で、光信号経路の両端にある２系統の共通ポート（ＰＳ２，ＰＳ３）に対応する装置オブジェクトの一方３１２ａを指示し、その装置オブジェクト３１２ａを選択状態にして変色させる。次いで、図１８（Ｂ）に示したように、他方の装置オブジェクト３１１ａを指示すると、先に選択して変色していた装置オブジェクト３１２ａが当初の色に変わるとともに、連続して選択した二つの装置オブジェクト（３１２ａ，３１１ａ）が装置間結線画像１５０によって連絡される。
【００６９】
利用者は、以上のようにして、光信号経路の両端となる共通ポート（ＰＳｍ１，ＰＳｍ２）に対応する二つの装置オブジェクト（３１ｊ１α，３１ｊ２β：α，βは、ａまたはｂ）を指定したならば、図１９（Ａ）に示したように、「構成切替」ボタン１４０を指示し、実際の光マトリクススイッチ２において、各光伝送装置Ｒ１ｊに対応する１×７光スイッチＳＷｍの共通ポートＰＳｍ間が、分岐ポートＰｍｎを経由してどのように接続されるのかを確認する。
【００７０】
ＰＣ１は、当該「構成切替」ボタン１４０への指示を受け付けると、共通ポートＰＳｍや分岐ポートＰｍｎ間の接続関係を上記テーブルに基づいて特定するととともに、操作画面３００における装置オブジェクト対３１ｊに対応する２系統の共通ポート（ＰＳｍ１，ＰＳｍ２）を特定し、図１９（Ｂ）に示したように、１台の光伝送装置Ｒ１ｊと、それに接続される２系統の共通ポート（ＰＳｍ１，ＰＳｍ２）との対応関係や、分岐ポートＰｍｎ間の光伝送路Ｌｉｋを経由した２系統の共通ポート（ＰＳｍ１，ＰＳｍ２）間の光信号経路を接続構成画面４００に表示する。この例では、操作画面３００における一つの装置オブジェクト対３１ｊに対応する一つのオブジェクト（装置対オブジェクト：４１１，４１２，４１４）に二つの装置オブジェクト（Ｒ１ｊａ，Ｒ１ｊｂ）の名前が記載され、その名前の記載位置から対応するスイッチオブジェクト（２０１〜２０４，２０７，２０８）に共通ポート結線画像２２０が延長し、装置対オブジェクト（４１１，４１２，４１４）とスイッチオブジェクト（２０１〜２０４，２０７，２０８）間を連絡している。また、図１９（Ａ）に示した操作画面３００において、装置オブジェクト対３１ｊを形成していない独立した装置オブジェクト（３１３ａ，３１３ｂ）については、接続構成画面４００用の装置オブジェクト（４１３ａ，４１３ｂ）が個別に表示され、それぞれの装置オブジェクト（４１３ａ，４１３ｂ）と、対応するスイッチオブジェクト（２０５，２０６）とが、共通ポート結線画像２２０によって連絡されている。
【００７１】
一方、各スイッチオブジェクト（２０１〜２０８）における、分岐ポートＰｍｎに対応する側は、第１の実施例と同様に、コの字型のスイッチ間結線画像２３０で相互に連絡されて、上記テーブルに基づいて特定された接続関係が表現されている。また、各スイッチオブジェクト（２０１〜２０８）におけるスイッチ間結線画像２３０との接続部分には、第１の実施例と同様に、分岐ポートＰｍｎの番号２４０が表示されている。
【００７２】
なお、光伝送装置Ｒ１ｊに接続される２系統の光伝送路（Ｌｍ１，Ｌｍ２）は、順番ｍが連続する１×７光スイッチの共通ポートに接続されるとは限らない。図２０（Ａ）に示した例では、２台の光伝送装置（Ｒ１１，Ｒ１２）が１番目と３番目、および２番目と４番目の１×７光スイッチ（ＳＷ１，ＳＷ３、ＳＷ２，ＳＷ４）の共通ポート（ＰＳ１，ＰＳ３、ＰＳ２，ＰＳ４）に接続されている。このような場合では、図２０（Ｂ）に示した接続構成画面４００ｂのように、二つの装置オブジェクト（４１１ａ，４１１ｂ、４１２ａ，４１２ｂ）をスイッチ間結線画像２３０と同様のコの字型の結線画像４２０で接続するように表示すればよい。
【００７３】
＝＝＝第３の実施例＝＝＝
本実施形態に係る制御装置では、一般的な光マトリクススイッチはもちろん、接続ポートに接続されている全ての光伝送装置間での通信を可能にする「完全な」光マトリクススイッチを制御する場合においても優れたユーザインタフェース環境を提供する。ところで、本発明者は、上述した多肢選択型の光スイッチを用いた完全な光マトリクススイッチ２に加え、図２５に示した一般的な光マトリクススイッチＭＸを応用して完全な光マトリクススイッチを創作した。そして、本発明の第３の実施例として、この一般的な光マトリクススイッチを応用した「完全な」光マトリクススイッチを制御する際のユーザインタフェースを挙げる。
【００７４】
図２１に、第３の実施例において、ＰＣ１の制御対象となる光マトリクススイッチ４の構成を示した。光マトリクススイッチ本体ＭＸは、図２５に示した一般的な光マトリクススイッチＭＸと同じであり、グループ（ＧｒＡ，ＧｒＢ）ごとにｍ系統の接続ポート（ＰＡｍ，ＰＢｍ）を備え、合計２ｍ台の光伝送装置を接続することが可能な光マトリクススイッチを使用している。図示した例では、ｍ＝８で、１グループ（ＧｒＡ，ＧｒＢ）について８系統の接続ポートを備えている。
【００７５】
しかし、第３の実施例における光マトリクススイッチ４は、その本体ＭＸに特徴があるのではなく、全系統の内の半分の接続ポート（ＰＡ５ｂ〜ＰＡ８ｂ，ＰＢ５ｂ〜ＰＢ８ｂ）を２系統で一組とし、各組の２系統の接続ポート（ＰＡ５ｂ，ＰＡ６ｂ、ＰＡ７ｂ，ＰＡ８ｂ、ＰＢ５ｂ，ＰＢ６ｂ、ＰＢ７ｂ，ＰＢ８ｂ）を光マトリクススイッチ本体ＭＸの外部を経由する光伝送路（外部接続経路：ＬＡｏ，ＬＢｏ）で相互に接続している構造に特徴を有している。
【００７６】
そして、図２１に示した光マトリクススイッチ４では、双方のグループ（ＧｒＡ，ＧｒＢ）における８系統の接続ポート（ＰＡｍ，ＰＢｍ）の半分の４系統の接続ポート（ＰＡ１ａ〜ＰＡ４ａ，ＰＢ１ｂ〜ＰＢ４ｂ）が光伝送装置（ＲＡ１〜ＲＡ４，ＲＢ１〜ＲＢ４）に接続される接続ポート（装置用接続ポート：ＰＡ１ａ〜ＰＡ４ａ，ＰＢ１ａ〜ＰＢ４ａ）であり、残りの４系統の接続ポート（ＰＡ５ｂ〜ＰＡ８ｂ，ＰＢ５ｂ〜ＰＢ８ｂ）が２系統で一組となって外部接続経路（ＬＡｏ，ＬＢｏ）によって接続されている外部接続用ポート（ＰＡ５ｂ〜ＰＡ８ｂ，ＰＢ５ｂ〜ＰＢ８ｂ）である。
【００７７】
この図２１に示した光マトリクススイッチ４を制御対象とするＰＣ１は、その外部記憶装置などに、第１の実施例における上記テーブルに相当する情報（経路接続情報）として、それぞれが異なるグループ（ＧｒＡ，ＧｒＢ）に属する特定の２系統の装置用接続ポート（ＰＡｘ１ａ，ＰＢｘ２ａ：ｘ１＝１〜４，ｘ２＝１〜４）間を連絡する光マトリクススイッチ本体ＭＸ内の経路と、それぞれが同じグループ（ＧｒＡ、またはＧｒＢ）に属する特定の２系統の装置用接続ポート（ＰＡｘａ，ＰＡｙａ、またはＰＡｘａ，ＰＡｙａ：ｘ＝１〜４，ｙ＝１〜４，ｘ≠ｙ）間を連絡する２系統一組の外部接続用ポート（外部接続ポート対：ＰＡｏ，ＰＢｏ）を経由する経路とが記憶されている。第３の実施例では、それぞれが異なるグループ（ＧｒＡ，ＧｒＢ）に属する特定の２系統の接続ポート（ＰＡｍ，ＰＢｍ）の組に光マトリクススイッチ本体ＭＸに内蔵されている個々の光スイッチ内部の光路接続関係を対応付けした情報と、それぞれが同じグループ（ＧｒＡ、またはＧｒＢ）に属する特定の２系統の装置用接続ポート（ＰＡｘａ，ＰＡｙａ、またはＰＢｘａ，ＰＢｙａ）の組と特定の外部接続ポート対（ＰＢｏ、またはＰＡｏ）における２系統の外部接続用ポート（ＰＢｘｂ，ＰＢｙｂ、またはＰＡｘｂ，ＰＡｙｂ）を対応付けした情報とを記憶している。
【００７８】
そしてＰＣ１は、この経路接続情報を参照することで、異なるグループ（ＧｒＡ，ＧｒＢ）に属する特定の２系統の装置用接続ポート（ＰＡｘ１ａ，ＰＢｘ２ａ）が指定されれば、その２系統の装置用接続ポート（ＰＡｘ１ａ，ＰＢｘ２ａ）間の経路を特定することができる。また、同じグループ（ＧｒＡ、またはＧｒＢ）に属する２系統の装置用接続ポート（ＰＡｘａ，ＰＡｙａ、またはＰＢｘａ，ＰＢｙａ）が指定されれば、一方の装置用接続ポート（ＰＡｘａ、またはＰＢｘａ）と特定の外部接続ポート対（ＰＢｏ、またはＰＡｏ）における２系統の外部接続用ポートの一方（ＰＢｘｂ、またはＰＡｘｂ）までの経路と、他方の外部接続用ポート（ＰＢｙｂ、またはＰＡｙｂ）と他方の装置用接続ポート（ＰＡｙａ、またはＰＢｙａ）までの経路が特定され、同じグループ（ＧｒＡ、またはＧｒＢ）に属する２系統の装置用接続ポート（ＰＡｘａ，ＰＡｙａ、またはＰＢｘａ，ＰＢｙａ）間の経路を特定することができる。
【００７９】
つぎに、上記図２１に示した光マトリクススイッチ４を制御するためのＰＣ１におけるユーザインタフェースについて具体的に説明する。図２２は、上記の光マトリクススイッチ４を制御する際のユーザインタフェースに関わる画面遷移を示している。基本的なユーザインタフェースは、第１の実施例と同様であり、まず、互いに通信し合う光伝送装置（ＲＡｘ１，ＲＢｘ２、またはＲＡｘ，ＲＡｙ、またはＲＢｘ，ＲＢｙ）に対応する２系統一組の装置用接続ポート（ＰＡｘ１，ＰＢｘ２、またはＰＡｘ，ＰＡｙ、またはＰＢｘ，ＰＢｙ）を指定する。すなわち、二つの装置オブジェクト（５１ｘ１ａ，５１ｘ２ｂ、または５１ｘａ，５１ｙａ、または５１ｘｂ，５１ｙｂ）を装置用結線画像１５０で連絡するための操作を行い、図２２（Ａ）に示したように、互いに通信し合う伝送装置の組（ＲＡｘ１，ＰＡｘ２、またはＲＡｘ，ＲＡｙ、またはＲＢｘ，ＲＢｙ）を設定する。
【００８０】
なお、第３の実施例における操作画面５００には、光伝送装置（ＲＡ１〜ＲＡ４，ＲＢ１〜ＲＢ４）がどちらのグループ（ＧｒＡ，ＧｒＢ）の装置用接続ポート（ＰＡ１ａ〜ＰＡ４ａ，ＰＢ１ａ〜ＰＢ４ａ）に接続されているのかを確認できるように、各接続ポート（ＰＡ１ａ〜ＰＡ４ａ，ＰＢ１ａ〜ＰＢ４ａ）を示す「Port A1」〜「Port A4」「Port B1」〜「Port B4」の表示１３１と、光伝送装置の名称を入力するためのテキストボックス１３２とが配置されている。
【００８１】
そして、互いに通信し合う伝送装置の組（ＲＡｘ１，ＰＡｘ２、またはＲＡｘ，ＲＡｙ、またはＲＢｘ，ＲＢｙ）を設定したならば、「構成切替」ボタン１４０を指示する。ＰＣ１は、この指示を受け付けると、図２２（Ｂ）に示した接続構成画面６００を表示する。この接続構成画面６００には、光マトリクススイッチ本体ＭＸに相当する矩形の光マトリクススイッチオブジェクト６１０が表示されているとともに、その光マトリクススイッチオブジェクト６１０左右に光伝送装置（ＲＡ１〜ＲＡ４，ＲＢ１〜ＲＢ４）に相当する装置オブジェクト（６１１ａ〜６１４ａ，６１１ｂ〜６１４ｂ）が装置用接続ポート（ＰＡ１ａ〜ＰＡ４ａ，ＰＢ１ａ〜ＰＢ４ａ）との対応関係に従って配置されている。そして、各装置オブジェクト６１１ａ〜６１４ａ，６１１ｂ〜６１４ｂ）と光マトリクススイッチオブジェクト６１０とが光伝送路（ＬＡ１〜ＬＡ４，ＬＢ１〜ＬＢ４）に相当する直線６２０で連絡された状態で表示される。
【００８２】
具体的には、光マトリクススイッチオブジェクト６１０の表示領域内に異なるグループの接続ポート間（ＰＡｘ１，ＰＢｘ２）の経路に相当する直線（内部結線画像）６４０が表示されるとともに、光マトリクススイッチオブジェクト６１０の表示領域外には、外部接続経路（ＬＡｏ，ＬＢｏ）に相当するコの字型の屈曲線（外部結線画像）が、外部接続用ポート（ＰＡ５ｂ〜ＰＡ８ｂ，ＰＢ５ｂ〜ＰＢ８ｂ）との対応関係に従って光マトリクススイッチオブジェクト６１０の所定の位置に接続している。利用者は、この接続構成画面６００により、光伝送装置（ＲＡ１〜ＲＡ４，ＲＢ１〜ＲＢ４）間の経路を確認することができる。
【００８３】
また、上記光マトリクススイッチ４は、図２３に示した光マトリクススイッチ４ｂのように変更することも可能である。すなわち、外部接続ポート対（ＰＡｏ，ＰＢｏ）を一方のグループＧｒＡ（ＧｒＢ）に一組、他方のグループＧｒＢ（ＧｒＡ）に３組設けた構成とすることもできる。もちろん、一方のグループＧｒＡ（ＧｒＢ）にゼロ組、他方のグループＧｒＢ（ＧｒＡ）に４組設けることもできる。図２４に外部接続ポート対（ＰＡｏ，ＰＢｏ）を一方のグループＧｒＡ（ＧｒＢ）に一組、他方のグループＧｒＢ（ＧｒＡ）に３組設けた構成の光マトリクススイッチ４ｂに対応する操作画面５００ｂと接続構成画面６００ｂを示した。図２４（Ａ）に示した操作画面５００ｂは、装置用接続ポートの表示１３１や、テキストボックス１３２に記入されている光伝送装置の名称、および装置オブジェクト（５１１ａ〜５１６ａ，５１１ｂ，５１２ｂ）の名称が異なるだけで図２２（Ａ）に示した操作画面５００と同様である。図２５（Ｂ）に示した接続構成画面６００ｂでは、光マトリクススイッチオブジェクト６１０の左側に六つの装置オブジェクト（６１１ａ〜６１６ａ）が配置され、右側に二つの装置オブジェクト（６１１ｂ，６１２ｂ）が配置されている。そして、外部結線画像６３０は、左側に一つ、右側に三つ表示されている。
【００８４】
ところで、この第３の実施例の制御対象となる光マトリクススイッチ（４，４ｂ）は、異なるグループ（ＧｒＡ，ＧｒＢ）に属する装置用接続ポート間（ＰＡｘ１ａ，ＰＢｘ２ａ）は、内部接続経路を一回経由して接続され、同じグループ（ＧｒＡ、またはＧｒＢ）に属する装置用接続ポート間（ＰＡｘ，ＰＡｙ、またはＰＢｘ，ＰＢｙ）は、外部接続経路（ＬＡｏ、またはＬＢｏ）を経由して２回内部接続経路を通って接続される。そのため、光信号は、異なるグループ（ＧｒＡ，ＧｒＢ）の装置用接続ポート間（ＰＡｘ１ａ，ＰＢｘ２ａ）の接続経路を通るときより、同じグループ（ＧｒＡ、またはＧｒＢ）の装置用接続ポート間（ＰＡｘ，ＰＡｙ、またはＰＢｘ，ＰＢｙ）の接続経路を通るときの方が損失が大きい、そのため、第３の実施例では、例えば、通信し合う２台の光伝送装置の機種の組み合わせが同じであっても、その通信経路の損失に応じた動作を確認するための動作検証システムなどに応用することができる。
【産業上の利用可能性】
【００８５】
この発明は、光伝送路を介して通信する光伝送装置の動作検証を行う用途などに利用可能である。
【符号の説明】
【００８６】
１  制御装置（ＰＣ）、２，４，４ｂ  光マトリクススイッチ、
３  光伝送装置動作検証システム、３１〜３８  光アダプタ、
４０  スイッチング制御部、４１  ＬＡＮポート、４２  信号線、５０  ＬＡＮ、
１００，３００，５００，５００ｂ  操作画面、
１１１〜１１８，２１１〜２１８  装置オブジェクト、１５０  装置間結線画像、
２００，４００，４００ｂ，６００，６００ｂ  接続構成画面、
２０１〜２０８  スイッチオブジェクト、２３０  スイッチ間結線画像、
３１１ａ〜３１４ａ，３１１ｂ〜３１４ｂ  装置オブジェクト、
４１１，４１２，４１３ａ，４１３ｂ，４１４  装置オブジェクト、
４１１ａ，４１１ｂ，４１２ａ，４１２ｂ  装置オブジェクト、
６１０  光マトリクススイッチオブジェクト、
６１１ａ〜６１６ａ，６１１ｂ〜６１４ｂ  装置オブジェクト、
６３０  外部結線画像、６４０  内部結線画像、
Ｌｉｋ（ｉ＝１〜７,ｋ＝１〜８,ｉ＜ｋ,ｉ≠ｋ）  分岐ポート間の光伝送路、
Ｌｍ  共通ポートに接続される光伝送路、
ＬＡ１〜ＬＡ４  一般的な光マトリクススイッチに接続する光伝送路、
ＬＢ１〜ＬＢ４  一般的な光マトリクススイッチに接続する光伝送路、
ＭＸ  一般的な光マトリクススイッチ、ＰＳｍ  共通ポート、
Ｐｍｎ（ｎ＝１〜７）  分岐ポート、
ＰＡ１〜ＰＡ８，ＰＢ１〜ＰＢ８  接続ポート、
ＰＡ１ａ〜ＰＡ６ａ，ＰＢ１ａ〜ＰＢ４ａ  装置用接続ポート、
ＰＡ５ｂ〜ＰＡ８ｂ，ＰＢ３ｂ〜ＰＢ８ｂ  外部接続用ポート、
Ｒ１ｊ，Ｒｍ,Ｒｍ１，Ｒｍ２（ｊ＝１〜４，ｍ,ｍ１，ｍ２＝１〜８）  光伝送装置、
ＲＡ１〜ＲＡ６，ＲＢ１〜ＲＢ４  光伝送装置、ＳＷｍ  １×７光スイッチ
【図１】
2011043771.tif 000003
【図２】
2011043771.tif 000004
【図３】
2011043771.tif 000005
【図４】
2011043771.tif 000006
【図５】
2011043771.tif 000007
【図６】
2011043771.tif 000008
【図７】
2011043771.tif 000009
【図８】
2011043771.tif 000010
【図９】
2011043771.tif 000011
【図１０】
2011043771.tif 000012
【図１１】
2011043771.tif 000013
【図１２】
2011043771.tif 000014
【図１３】
2011043771.tif 000015
【図１４】
2011043771.tif 000016
【図１５】
2011043771.tif 000017
【図１６】
2011043771.tif 000018
【図１７】
2011043771.tif 000019
【図１８】
2011043771.tif 000020
【図１９】
2011043771.tif 000021
【図２０】
2011043771.tif 000022
【図２１】
2011043771.tif 000023
【図２２】
2011043771.tif 000024
【図２３】
2011043771.tif 000025
【図２４】
2011043771.tif 000026
【図２５】
2011043771.tif 000027
【手続補正書】
【提出日】平成22年1月26日(2010.1.26)
【手続補正１】
【補正対象書類名】特許請求の範囲
【補正対象項目名】請求項９
【補正方法】変更
【補正の内容】
【請求項９】
１系統ごとに少なくとも１本の光ファイバを用いた光伝送が行われ、複数の接続ポートのうちの２系統の接続ポート間を光路で接続する光マトリクススイッチを制御するための制御装置であって、
表示器と、前記光マトリクススイッチと通信する通信部と、制御部とを備え、
前記制御部は、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除表示処理と、
前記解除表示処理で接続が解除された前記二つの装置オブジェクトに対応する２系統の接続ポート間の接続を解除するための制御信号を、前記通信部を介して前記光マトリクススイッチに送信する送信処理と
を実行することを特徴とする光マトリクススイッチの制御装置。
【手続補正２】
【補正対象書類名】特許請求の範囲
【補正対象項目名】請求項１０
【補正方法】変更
【補正の内容】
【請求項１０】
１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部とを備える制御装置に、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除表示処理と、
前記解除表示処理で接続が解除された前記二つの装置オブジェクトに対応する２系統の接続ポート間の接続を解除するための制御信号を、前記通信部を介して前記光マトリクススイッチに送信する送信処理と
を実行させることを特徴とする光マトリクススイッチの制御用プログラム。
【手続補正３】
【補正対象書類名】明細書
【補正対象項目名】００２０
【補正方法】変更
【補正の内容】
【００２０】
また、１系統ごとに少なくとも１本の光ファイバを用いた光伝送が行われ、複数の接続ポートのうちの２系統の接続ポート間を光路で接続する光マトリクススイッチを制御するための制御装置であって、
表示器と、前記光マトリクススイッチと通信する通信部と、制御部とを備え、
前記制御部は、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除表示処理と、
前記解除表示処理で接続が解除された前記二つの装置オブジェクトに対応する２系統の接続ポート間の接続を解除するための制御信号を、前記通信部を介して前記光マトリクススイッチに送信する送信処理と
を実行する光マトリクススイッチの制御装置とすることもできる。
【手続補正４】
【補正対象書類名】明細書
【補正対象項目名】００２１
【補正方法】変更
【補正の内容】
【００２１】
また、１系統ごとに少なくとも１本の光ファイバを用いた光伝送が行われ、複数の接続ポートのうちの２系統の接続ポート間を光路で接続する光マトリクススイッチを制御するための制御装置であって、表示器と、前記光マトリクススイッチと通信する通信部とを備える制御装置に、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチ内の経路を示す経路画像を前記表示器に表示する経路表示処理と、
前記経路画像において、前記二つの装置オブジェクトに対応する２系統の接続ポート間の接続が解除されたことを前記表示器に表示する解除表示処理と、
前記解除表示処理で接続が解除された前記二つの装置オブジェクトに対応する２系統の接続ポート間の接続を解除するための制御信号を、前記通信部を介して前記光マトリクススイッチに送信する送信処理と
を実行させる光マトリクススイッチの制御用プログラムとしてもよい。
【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
１系統ごとに少なくとも１本の光ファイバを用いた光伝送が行われ、内部における光路の接続経路の設定によって複数の接続ポートのうちの２系統の接続ポート間を光路で接続することが可能な光マトリクススイッチを制御するための制御装置であって、
表示器と、前記光マトリクススイッチと通信する通信部と、制御部とを備え、
前記制御部は、
前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、
前記選択処理で選択された前記二つの装置オブジェクトに対応する２系統の接続ポート間を光路で接続させるための制御信号を、前記通信部を介して前記光マトリクススイッチに送信する送信処理と、
前記２系統の接続ポート間を光路で接続させたときの前記光マトリクススイッチの内部の接続経路を示す経路画像を前記表示器に表示する経路表示処理と
を実行することを特徴とする光マトリクススイッチの制御装置。
【請求項２】
請求項１に記載の制御装置であって、
前記光マトリクススイッチは、ｎ＋１個の１×ｎ光スイッチを有し、
各１×ｎ光スイッチは、前記接続ポートとなる１系統の共通ポートと、ｎ系統の分岐ポートと、前記共通ポートと前記ｎ系統の分岐ポートのいずれかの１系統とを選択的に接続するための光路切替機構とを有し、
前記各１×ｎ光スイッチにおける前記ｎ系統の分岐ポートは、他のｎ個の１×ｎ光スイッチのそれぞれの分岐ポートに接続され、
前記制御部は、
前記送信処理の際に、前記二つの装置オブジェクトに対応する前記２系統の接続ポートを前記共通ポートとする二つの１×ｎ光スイッチを指定する指定情報を含む前記制御信号を送信し、
前記経路表示処理の際に、前記１×ｎ光スイッチに対応するスイッチオブジェクトをｎ＋１個表示するとともに、前記二つの１×ｎ光スイッチに対応する二つのスイッチオブジェクトを結ぶように前記経路画像を表示する
ことを特徴とする光マトリクススイッチの制御装置。
【請求項３】
請求項２に記載の制御装置であって、
前記制御部は、
前記送信処理の際に、前記指定情報によって、前記二つの１×ｎ光スイッチにおいて選択すべき前記分岐ポートを指定し、
前記経路表示処理の際に、前記二つのスイッチオブジェクトのそれぞれに対応付けて、前記指定情報によって指定された前記分岐ポートの番号をそれぞれ前記経路画像に表示する
ことを特徴とする光マトリクススイッチの制御装置。
【請求項４】
請求項１に記載の制御装置であって、
前記光マトリクススイッチは、第１グループに属する複数の接続ポートと、第２グループに属する複数の接続ポートとを備えており、前記第１グループの前記接続ポートと前記第２グループに属する前記接続ポートとの間を光路で接続可能であるとともに、一方のグループに属する２系統の接続ポートを光伝送路で接続することによって当該光伝送路を経由して他方のグループに属する２系統の接続ポートを光路で接続可能であり、
前記制御部は、前記選択処理で選択された前記二つの装置オブジェクトに対応する２系統の接続ポートが前記他方のグループに属する場合、前記経路表示処理の際に、前記一方のグループに属し前記光伝送路で接続された前記２系統の接続ポートを経由したことを示すように前記経路画像を表示する
ことを特徴とする光マトリクススイッチの制御装置。
【請求項５】
請求項１〜４のいずれかに記載の制御装置であって、
前記制御部は、
前記選択処理の際に、選択された前記二つの装置オブジェクトを結線画像で連絡するように表示するとともに、利用者の入力に応じて前記装置オブジェクトの位置を移動する
ことを特徴とする光マトリクススイッチの制御装置。
【請求項６】
請求項５に記載の制御装置であって、
前記制御部は、
前記選択処理の際に、前記２系統の接続ポートに対応する二つの装置オブジェクトをグループ化させた装置オブジェクト対を表示するとともに、前記装置オブジェクト対を構成する前記二つの装置オブジェクトの位置を利用者の入力に応じて一体的に移動する
ことを特徴とする光マトリクススイッチの制御装置。
【請求項７】
１系統ごとに少なくとも１本の光ファイバを用いた光伝送が行われ、内部における光路の接続経路の設定によって複数の接続ポートのうちの２系統の接続ポート間を光路で接続することが可能な光マトリクススイッチを制御するための制御装置であって、表示器と、前記光マトリクススイッチと通信する通信部とを備える制御装置に、
前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、
前記選択処理で選択された前記二つの装置オブジェクトに対応する２系統の接続ポート間を光路で接続させるための制御信号を、前記通信部を介して前記光マトリクススイッチに送信する送信処理と、
前記２系統の接続ポート間を光路で接続させたときの前記光マトリクススイッチの内部の接続経路を示す経路画像を前記表示器に表示する経路表示処理と
を実行させることを特徴とする光マトリクススイッチの制御用プログラム。
【請求項８】
１系統ごとに少なくとも１本の光ファイバを用いた光伝送が行われ、内部における光路の接続経路の設定によって複数の接続ポートのうちの２系統の接続ポート間を光路で接続することが可能な光マトリクススイッチを制御する制御方法であって、
前記接続ポートに光伝送路を介して接続された光伝送装置に対応する装置オブジェクトを表示器に複数表示するとともに、複数の前記装置オブジェクトから任意の二つの装置オブジェクトが選択されたことを前記表示器に表示する選択ステップと、
前記選択ステップで選択された前記二つの装置オブジェクトに対応する２系統の接続ポート間を光路で接続させるための制御信号を、制御装置が前記光マトリクススイッチに送信する送信ステップと、
前記制御信号に基づいて、前記光マトリクススイッチが前記２系統の接続ポート間を光路で接続する接続ステップと、
前記２系統の接続ポート間を光路で接続させたときの前記光マトリクススイッチの内部の接続経路を示す経路画像を前記表示器に表示する経路表示ステップと
を有する光マトリクススイッチの制御方法。
【請求項９】
１系統ごとに少なくとも１本の光ファイバを用いた光伝送が行われ、内部における光路の接続経路の設定によって複数の接続ポートのうちの２系統の接続ポート間を光路で接続することが可能な光マトリクススイッチを制御するための制御装置であって、
表示器と、前記光マトリクススイッチと通信する通信部と、制御部とを備え、
前記制御部は、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチの内部の接続経路を示す経路画像を前記表示器に表示する経路表示処理と、
前記経路画像において、前記二つの装置オブジェクトに対応する２系統の接続ポート間の接続が解除されたことを前記表示器に表示する解除表示処理と、
前記解除表示処理で接続が解除された前記二つの装置オブジェクトに対応する２系統の接続ポート間の接続を解除するための制御信号を、前記通信部を介して前記光マトリクススイッチに送信する送信処理と
を実行することを特徴とする光マトリクススイッチの制御装置。
【請求項１０】
１系統ごとに少なくとも１本の光ファイバを用いた光伝送が行われ、内部における光路の接続経路の設定によって複数の接続ポートのうちの２系統の接続ポート間を光路で接続することが可能な光マトリクススイッチを制御するための制御装置であって、表示器と、前記光マトリクススイッチと通信する通信部とを備える制御装置に、
前記接続ポートに光伝送路を介して接続された光伝送装置に対応する装置オブジェクトを前記表示器に複数表示するとともに、複数の前記装置オブジェクトのうちの二つの装置オブジェクトに対応する２系統の接続ポート間を光路で接続させたときの前記光マトリクススイッチの内部の接続経路を示す経路画像を前記表示器に表示する経路表示処理と、
前記経路画像において、前記二つの装置オブジェクトに対応する２系統の接続ポート間の接続が解除されたことを前記表示器に表示する解除表示処理と、
前記解除表示処理で接続が解除された前記二つの装置オブジェクトに対応する２系統の接続ポート間の接続を解除するための制御信号を、前記通信部を介して前記光マトリクススイッチに送信する送信処理と
を実行させることを特徴とする光マトリクススイッチの制御用プログラム。
【請求項１１】
１系統ごとに少なくとも１本の光ファイバを用いた光伝送が行われ、内部における光路の接続経路の設定によって複数の接続ポートのうちの２系統の接続ポート間を光路で接続することが可能な光マトリクススイッチを制御する制御方法であって、
前記接続ポートに光伝送路を介して接続された光伝送装置に対応する装置オブジェクトを表示器に複数表示するとともに、複数の前記装置オブジェクトのうちの二つの装置オブジェクトに対応する２系統の接続ポート間を光路で接続させたときの前記光マトリクススイッチの内部の接続経路を示す経路画像を前記表示器に表示する経路表示ステップと、
前記経路画像において、前記二つの装置オブジェクトに対応する２系統の接続ポート間の接続が解除されたことを前記表示器に表示する解除表示ステップと、
前記解除表示ステップで接続が解除された前記二つの装置オブジェクトに対応する２系統の接続ポート間の接続を解除するための制御信号を、制御装置が前記光マトリクススイッチに送信する送信ステップと、
前記制御信号に基づいて、前記光マトリクススイッチが前記２系統の接続ポート間の接続を解除する解除実行ステップと
を有する光マトリクススイッチの制御方法。
【手続補正２】
【補正対象書類名】明細書
【補正対象項目名】０００８
【補正方法】変更
【補正の内容】
【０００８】
上記目的を達成するための主たる発明は、１系統ごとに少なくとも１本の光ファイバを用いた光伝送が行われ、内部における光路の接続経路の設定によって複数の接続ポートのうちの２系統の接続ポート間を光路で接続することが可能な光マトリクススイッチを制御するための制御装置であって、表示器と、前記光マトリクススイッチと通信する通信部と、制御部とを備え、前記制御部は、前記接続ポートに光伝送路を介して接続された光伝送装置に対応する装置オブジェクトを前記表示器に複数表示するとともに、複数の前記装置オブジェクトから任意の二つの装置オブジェクトが選択されたことを前記表示器に表示する選択処理と、前記選択処理で選択された前記二つの装置オブジェクトに対応する２系統の接続ポート間を光路で接続させるための制御信号を、前記通信部を介して前記光マトリクススイッチに送信する送信処理と、前記２系統の接続ポート間を光路で接続させたときの前記光マトリクススイッチの内部の接続経路を示す経路画像を前記表示器に表示する経路表示処理とを実行することを特徴とする光マトリクススイッチの制御装置である。
なお、主たる発明以外の発明の特徴については、以下の記載で明らかにする。